(57)【要約】【課題】本発明は、透明表示部材を備える装置を提供することを目的とする。【解決手段】スマートフォン１は、第１透明領域２０ｂを有するフロントフェイス１Ａと、第１方向Ｚにおいて第１透明領域２０ｂと重なる第２透明領域２０ｃ及び第１透明領域２０ｂと重ならない第３透明領域２０ｄを有するバックフェイス１Ｂと、を有するハウジング２０を備える。また、スマートフォン１は、ディスプレイ２Ａ及び遮光部材２Ｃを有する第１タッチスクリーンディスプレイ２と、第１タッチスクリーンディスプレイ２におけるバックフェイス１Ｂ側に配置される透明表示部材２００と、を備える。そして、透明表示部材２００は、第１透明領域２０ｂと第２透明領域２０ｃとの間に配置される第１透明表示部２００Ａと、遮光部材２Ｃの全部又は一部と第３透明領域２０ｄとの間に配置される第２透明表示部２００Ｂと、を有する。【選択図】図７
2014011491.tif 000002
【特許請求の範囲】
【請求項１】
メイン表示用領域及び第１透明領域を有する第１面と、
第１方向において前記第１面と重なるように配置される第２面であって、前記第１方向において前記第１透明領域と重なる第２透明領域及び、前記第１方向において前記第１透明領域と重ならない第３透明領域を有する第２面と、を有するケース部材と、
前記ケース部材に収容され、前記メイン表示用領域に対応して配置されるメイン表示部及び、前記第１方向において前記メイン表示部と反対側に配置される遮光部材を有するメイン表示部材と、
前記メイン表示部材における前記第２面側に配置される透明表示部材であって、
前記第１方向において前記第１透明領域と前記第２透明領域との間に配置される第１透明表示部及び、
前記第１方向において前記遮光部材の全部又は一部と前記第３透明領域との間に配置される第２透明表示部を有する透明表示部材と、を備える
装置。
【請求項２】
前記透明表示部材は、
前記第１面側において、前記第１透明表示部が視認可能であり、
前記第２面側において、前記第１透明表示部と、前記第２透明表示部とが視認可能である
請求項１に記載の装置。
【請求項３】
前記遮光部材は、
前記第１方向において、前記第２透明表示部と重なる領域であって所定の色である背面領域を有する
請求項１又は２に記載の装置。
【請求項４】
前記第２透明表示部は、
前記背面領域における色の反対色、反対色の類似色及びこれらの同系色のいずれかで表示対象を表示する
請求項３に記載の装置。
【請求項５】
前記遮光部材における前記背面領域は、黒色に着色されており、
前記第２透明表示部は、表示対象を白色で表示させる
請求項４記載の装置。
【請求項６】
前記透明表示部材に表示される表示対象の色を変更可能な制御部であって、
前記第２透明表示部における表示対象の色を、前記遮光部材における前記背面領域の色に応じて制御する制御部と、を備える
請求項３から５のいずれかに記載の装置。
【請求項７】
前記制御部は、
前記第２透明表示部における表示対象の色を、前記遮光部材における前記背面領域の色の反対色、反対色の類似色及びこれらの同系色のいずれかに変更する第１モードと、
前記第２透明表示部における表示対象の色を、前記遮光部材における前記背面領域の色の類似色及びこれらの同系色のいずれかに変更する第２モードと、を有する
請求項６に記載の装置。
【請求項８】
前記制御部は、
所定の画面データに基づいて、前記第１透明表示部と、前記第２透明表示部と、に所定の表示対象を表示させると共に、
前記画面データに画像データが含まれる場合、前記第２透明表示部に前記画像データに基づく画像を表示させる
請求項６又は７に記載の装置。
【請求項９】
前記制御部は、
前記画面データに文字データと画像データとが含まれる場合、
前記第１透明表示部に前記文字データに基づく文字列を表示させ、
前記第２透明表示部に前記画像データに基づく画像を表示させる
請求項８に記載の装置。
【請求項１０】
前記第１方向において、前記メイン表示部材における前記遮光部材側に前記メイン表示部材と重なるように配置されると共に、
前記第１方向に交差する第２方向において、前記透明表示部材と並んで配置される回路基板と、を備える
請求項１から９のいずれかに記載の装置。
【請求項１１】
メイン表示用領域及び第１透明領域を有する第１面と、
第１方向において前記第１面と重なるように配置される第２面であって、前記第１方向において前記第１透明領域と重なる第２透明領域及び、前記第１方向において前記第１透明領域と重ならない第３透明領域を有する第２面と、を有するケース部材と、
ケース部材に収容される遮光部材と、
前記第１方向において前記第１透明領域と前記第２透明領域との間に配置される第１透明表示部及び、前記第１方向において前記遮光部材の全部又は一部と前記第３透明領域との間に配置される第２透明表示部を有する透明表示部材と、を備える
装置。
【発明の詳細な説明】
【技術分野】
【０００１】
本発明は、透明表示部材を備える装置に関する。
【背景技術】
【０００２】
従来、ＬＣＤ（Ｌｉｑｕｉｄ  Ｃｒｙｓｔａｌ  Ｄｉｓｐｌａｙ）表示部材を有する携帯電話機等の装置が存在する。
近年、表示部材の開発が進むなか、表示部材として、バックライト等を有しない透明表示部材が上市されている。
そして、携帯電話機等の装置として、透明表示部材を採用したタイプが存在する。
例えば、第１の表示部の上側に積層配置された透明性の第２の表示部（透明表示部材）を備える携帯電話機が提案されている（例えば、特許文献１参照）。
【０００３】
ここで、特許文献１の携帯電話機のように、透明表示部材は、他の表示部に重ね合わせる等の利用には好適である。
しかし、透明性を更に利用して、透明表示部を両面から視認可能な両面表示部として利用する場合、表示内容が見え難い場合があった。特に、透明表示部に写真等の高精細な画像を表示した場合、表示内容が見え難い場合があった。
【先行技術文献】
【特許文献】
【０００４】
【特許文献１】特開２０１１−２５０１６５号公報
【発明の概要】
【発明が解決しようとする課題】
【０００５】
本発明は、透明表示部材を備えた装置を提供することを目的とする。
【課題を解決するための手段】
【０００６】
本発明は、メイン表示用領域及び第１透明領域を有する第１面と、第１方向において前記第１面と重なるように配置される第２面であって、前記第１方向において前記第１透明領域と重なる第２透明領域及び、前記第１方向において前記第１透明領域と重ならない第３透明領域を有する第２面と、を有するケース部材と、前記ケース部材に収容され、前記メイン表示用領域に対応して配置されるメイン表示部及び、前記第１方向において前記メイン表示部と反対側に配置される遮光部材を有するメイン表示部材と、前記メイン表示部材における前記第２面側に配置される透明表示部材であって、前記第１方向において前記第１透明領域と前記第２透明領域との間に配置される第１透明表示部及び、前記第１方向において前記遮光部材の全部又は一部と前記第３透明領域との間に配置される第２透明表示部を有する透明表示部材と、を備える装置に関する。
【０００７】
また、装置において、前記透明表示部材は、前記第１面側において、前記第１透明表示部が視認可能であり、前記第２面側において、前記第１透明表示部と、前記第２透明表示部とが視認可能であることが好ましい。
【０００８】
また、装置において、前記遮光部材は、前記第１方向において、前記第２透明表示部と重なる領域であって所定の色である背面領域を有することが好ましい。
【０００９】
また、装置において、前記第２透明表示部は、前記背面領域における色の反対色、反対色の類似色及びこれらの同系色のいずれかで表示対象を表示することが好ましい。
【００１０】
また、装置において、前記遮光部材における前記背面領域は、黒色に着色されており、前記第２透明表示部は、表示対象を白色で表示させることが好ましい。
【００１１】
また、装置は、前記透明表示部材に表示される表示対象の色を変更可能な制御部であって、前記第２透明表示部における表示対象の色を、前記遮光部材における前記背面領域の色に応じて制御する制御部と、を備えることが好ましい。
【００１２】
また、装置において、前記制御部は、前記第２透明表示部における表示対象の色を、前記遮光部材における前記背面領域の色の反対色、反対色の類似色及びこれらの同系色のいずれかに変更する第１モードと、前記第２透明表示部における表示対象の色を、前記遮光部材における前記背面領域の色の類似色及びこれらの同系色のいずれかに変更する第２モードと、を有することが好ましい。
【００１３】
また、装置において、前記制御部は、所定の画面データに基づいて、前記第１透明表示部と、前記第２透明表示部と、に所定の表示対象を表示させると共に、前記画面データに画像データが含まれる場合、前記第２透明表示部に前記画像データに基づく画像を表示させることが好ましい。
【００１４】
また、装置において、前記制御部は、前記画面データに文字データと画像データとが含まれる場合、前記第１透明表示部に前記文字データに基づく文字列を表示させ、前記第２透明表示部に前記画像データに基づく画像を表示させることが好ましい。
【００１５】
また、装置は、前記第１方向において、前記メイン表示部材における前記遮光部材側に前記メイン表示部材と重なるように配置されると共に、前記第１方向に交差する第２方向において、前記透明表示部材と並んで配置される回路基板と、を備えることが好ましい。
【００１６】
また、本発明は、メイン表示用領域及び第１透明領域を有する第１面と、第１方向において前記第１面と重なるように配置される第２面であって、前記第１方向において前記第１透明領域と重なる第２透明領域及び、前記第１方向において前記第１透明領域と重ならない第３透明領域を有する第２面と、を有するケース部材と、ケース部材に収容される遮光部材と、前記第１方向において前記第１透明領域と前記第２透明領域との間に配置される第１透明表示部及び、前記第１方向において前記遮光部材の全部又は一部と前記第３透明領域との間に配置される第２透明表示部を有する透明表示部材と、を備える装置に関する。
【発明の効果】
【００１７】
本発明によれば、透明表示部材を備えた装置を提供することができる。
【図面の簡単な説明】
【００１８】
【図１】図１は、スマートフォンの外観を示す正面図である。
【図２】図２は、スマートフォンの外観を示す背面図である。
【図３】図３は、スマートフォンの外観を示す平面図である。
【図４】図４は、スマートフォンの外観を示す底面図である。
【図５】図５は、スマートフォンの外観を示す左側面図である。
【図６】図６は、スマートフォンの外観を示す右側面図である。
【図７】図７は、図１におけるＡ−Ａ断面図である。
【図８】図８は、透明表示部材に所定画面が表示された場合におけるスマートフォンのフロントフェイス側からみた表示態様を示す図である。
【図９】図９は、透明表示部材に所定画面が表示された場合におけるスマートフォンのバックフェイス側からみた表示態様を示す図である。
【図１０】図１０は、スマートフォンにおける機能ブロック図である。
【図１１】図１１は、スマートフォンの第１透明表示部及び第２透明表示部における表示態様の一例を説明する図である。
【図１２】図１２は、スマートフォンの第１透明表示部及び第２透明表示部における表示態様の一例を説明する図である。
【図１３】図１３は、スマートフォンの第１透明表示部及び第２透明表示部における表示態様の一例を説明する図である。
【図１４】図１４は、スマートフォンの第１透明表示部及び第２透明表示部における表示態様の一例を説明する図である。
【発明を実施するための形態】
【００１９】
図１から図７により、実施形態に係るスマートフォン１の外観について説明する。図１は、スマートフォンの外観を示す正面図である。図２は、スマートフォンの外観を示す背面図である。図３は、スマートフォンの外観を示す平面図である。図４は、スマートフォンの外観を示す底面図である。図５は、スマートフォンの外観を示す左側面図である。図６は、スマートフォンの外観を示す右側面図である。図７は、図１におけるＡ−Ａ断面図である。
【００２０】
図１から図６に示すように、装置としてのスマートフォン１は、ケース部材であるハウジング２０を有する。ハウジング２０は、第１面であるフロントフェイス１Ａと、第２面であるバックフェイス１Ｂと、サイドフェイス１Ｃとを有する。フロントフェイス１Ａは、ハウジング２０の正面である。バックフェイス１Ｂは、ハウジング２０の背面である。サイドフェイス１Ｃは、フロントフェイス１Ａとバックフェイス１Ｂとを接続する側面である。
【００２１】
スマートフォン１は、第１タッチスクリーンディスプレイ２と、第２タッチスクリーンディスプレイ２１０と、照度センサ４と、近接センサ５と、レシーバ７と、カメラ１２とをフロントフェイス１Ａに有する。スマートフォン１は、第３タッチスクリーンディスプレイ２２０と、第４タッチスクリーンディスプレイ２３０と、カメラ１３と、フラッシュ１８とをバックフェイス１Ｂに有する。スマートフォン１は、マイク８をサイドフェイス１Ｃに有する。
【００２２】
ハウジング２０は、上述の通り、フロントフェイス１Ａと、第１方向Ｚにおいてフロントフェイス１Ａと重なるように配置されるバックフェイス１Ｂとを有する。フロントフェイス１Ａは、バックフェイス１Ｂと対をなす。
また、ハウジング２０は、第２方向ＹのＹ２側に配置される非透明部分２０Ａと、第２方向ＹのＹ１側に配置される透明部分２０Ｂとを有する。
また、ハウジング２０は、メイン表示用領域２０ａと、第１透明領域２０ｂとをフロントフェイス１Ａに有する。
また、ハウジング２０は、第１方向Ｚにおいて第１透明領域２０ｂと重なる第２透明領域２０ｃと、第１方向Ｚにおいて第１透明領域２０ｂと重ならない第３透明領域２０ｄとをバックフェイス１Ｂに有する。
【００２３】
メイン表示用領域２０ａは、第１タッチスクリーンディスプレイ２を構成するディスプレイ２Ａに対応する領域であって、ディスプレイ２Ａを外部に視認可能とする領域である。メイン表示用領域２０ａは、ハウジング２０の第２方向ＹにおけるＹ２側に配置される。メイン表示用領域２０ａは、ハウジング２０の非透明部分２０Ａに配置される。メイン表示用領域２０ａは、第２方向Ｙにおいて第１透明領域２０ｂと並んで配置される。
メイン表示用領域２０ａは、例えば、非透明部分２０Ａにおけるフロントフェイス１Ａ側に配置され、外表面がフロントフェイス１Ａの一部を構成するように配置された透明部材において、ディスプレイ２Ａに対応する領域である。
また、ハウジング２０の全体が透明である場合、メイン表示用領域２０ａは、フロントフェイス１Ａにおけるディスプレイ２Ａに対応する領域である。
【００２４】
第１透明領域２０ｂは、第２タッチスクリーンディスプレイ２１０を構成する第１透明表示部２００Ａに対応する領域であって、第１透明表示部２００Ａを外部に視認可能とする領域である。第１透明領域２０ｂは、表示領域２１０Ａに対応する領域であって、表示領域２１０Ａを外部に視認可能とする領域である。第１透明領域２０ｂは、ハウジング２０の第２方向ＹにおけるＹ１側に配置される。第１透明領域２０ｂは、ハウジング２０の透明部分２０Ｂに配置される。第１透明領域２０ｂは、第２方向Ｙにおいてメイン表示用領域２０ａと並んで配置される。第１透明領域２０ｂは、第１方向Ｚにおいて、第２透明領域２０ｃと重なるように配置される。第１透明領域２０ｂは、第１方向Ｚにおいて、第２透明領域２０ｃと対向して配置される。
【００２５】
第２透明領域２０ｃは、第３タッチスクリーンディスプレイ２２０を構成する第１透明表示部２００Ａに対応する領域であって、第１透明表示部２００Ａを外部に視認可能とする領域である。第２透明領域２０ｃは、表示領域２２０Ａに対応する領域であって、表示領域２２０Ａを外部に視認可能とする領域である。第２透明領域２０ｃは、ハウジング２０の第２方向ＹにおけるＹ１側に配置される。第２透明領域２０ｃは、ハウジング２０の透明部分２０Ｂに配置される。第２透明領域２０ｃは、第２方向Ｙにおいて第３透明領域２０ｄと並んで配置される。第２透明領域２０ｃは、第１方向Ｚにおいて、第１透明領域２０ｂと重なるように配置される。第２透明領域２０ｃは、第１方向Ｚにおいて、第１透明領域２０ｂと対向して配置される。
【００２６】
第３透明領域２０ｄは、第４タッチスクリーンディスプレイ２３０を構成する第２透明表示部２００Ｂに対応する領域であって、第２透明表示部２００Ｂを外部に視認可能とする領域である。第３透明領域２０ｄは、表示領域２３０Ａに対応する領域であって、表示領域２３０Ａを外部に視認可能とする領域である。第３透明領域２０ｄは、ハウジング２０の第２方向ＹにおけるＹ２側に配置される。第３透明領域２０ｄは、ハウジング２０の第２方向Ｙにおいて、第２透明領域２０ｃよりもＹ２側に配置される。第３透明領域２０ｄは、ハウジング２０の透明部分２０Ｂに配置される。第３透明領域２０ｄは、第２方向Ｙにおいて第２透明領域２０ｃと並んで配置される。第３透明領域２０ｄは、第１方向Ｚにおいて、第１透明領域２０ｂと重ならない。第３透明領域２０ｄは、第１方向Ｚにおいて、第１透明領域２０ｂと対向しない。
【００２７】
ここで、第２透明領域２０ｃと第３透明領域２０ｄとを足した領域の広さは、第１透明領域２０ｂの広さよりも広い。言い換えると、透明表示部２００により表示された画像を視認可能な領域は、フロントフェイス１Ａ側よりもバックフェイス１Ｂ側の方が広い。
【００２８】
メイン表示部材である第１タッチスクリーンディスプレイ２は、ディスプレイ２Ａと、第１タッチスクリーン２Ｂと、ディスプレイ２Ａを収容する遮光部材２Ｃと、を備える。
第１タッチスクリーンディスプレイ２は、ハウジング２０に収容される。第１タッチスクリーンディスプレイ２は、ディスプレイ２Ａがメイン表示用領域２０ａに対応するよう配置される。
【００２９】
ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等（表示画面、表示対象）を表示する。
【００３０】
第１タッチスクリーン２Ｂは、第１タッチスクリーンディスプレイ２に対する指、又はスタイラスペン等の接触を検出する。第１タッチスクリーン２Ｂは、複数の指、又はスタイラスペン等が第１タッチスクリーンディスプレイ２に接触した位置を検出することができる。
【００３１】
第１タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、第１タッチスクリーン２Ｂが第１タッチスクリーンディスプレイ２に対する接触を検出する指、又はスタイラスペン等を単に「指」ということがある。
【００３２】
遮光部材２Ｃは、入光した光うち全部又は一部の光の透過を規制する部材である。遮光部材２Ｃは、例えば、光透過率が９０％以下、好ましくは８０％以下の部材である。遮光部材２Ｃは、例えば、金属製の板金部材、樹脂製の板部材、表面に塗料が塗布された部材等である。本実施形態において、遮光部材２Ｃは、板金部材である。
遮光部材２Ｃは、第１方向Ｚにおいて、ディスプレイ２Ａと反対側に配置される。
また、遮光部材２Ｃは、第１方向Ｚにおいて、透明表示部材２００と重なるように配置される（図７参照）。遮光部材２Ｃは、第１方向Ｚにおいて、第２透明表示部２００Ｂと重なるように配置される（図７参照）。
遮光部材２Ｃは、第１方向Ｚにおいて透明表示部材２００と重ならない非背面領域３０１と、第１方向Ｚにおいて透明表示部材２００と重なる背面領域３０２と、を備える。遮光部材２Ｃは、第１方向Ｚにおいて第２透明表示部２００Ｂと重ならない非背面領域３０１と、第１方向Ｚにおいて第２透明表示部２００Ｂと重なる背面領域３０２と、を備える。
ここで、後述する表示領域２３０Ａは、透明表示部材２００における第１方向Ｚにおいて背面領域３０２と重なる領域である。表示領域２３０Ａは、第１方向Ｚにおいて遮光部材２Ｃの背面領域３０２と重なると共に、背面領域３０２のバックフェイス１Ｂ側に配置される。このため、表示領域２３０Ａは、バックフェイス１Ｂ側から見た場合、表示領域２２０Ａに比べて表示対象５０の内容が視認しやすいようい構成される。
【００３３】
背面領域３０２は、所定の色である。背面領域３０２は、所定の色で着色されている。
背面領域３０２は、後述する第２透明表示部２００Ｂをバックフェイス１Ｂ側からみた場合、表示対象が見やすいように所定色に着色されている。背面領域３０２は、後述する第４タッチスクリーンディスプレイ２３０をバックフェイス１Ｂ側からみた場合、表示対象が見やすいように所定色に着色されている。
背面領域３０２の色は、例えば、後述する第２透明表示部２００Ｂに表示される表示対象の色の反対色、反対色の類似色及びこれらの同系色である。背面領域３０２の色は、例えば、後述する第２透明表示部２００Ｂに表示される表示内容等の表示対象における文字の色の反対色、反対色の類似色及びこれらの同系色である。
背面領域３０２の色は、例えば、後述する第２透明表示部２００Ｂに表示される表示対象の色、例えば、文字の色が白色の場合、黒色である。
【００３４】
スマートフォン１は、第１タッチスクリーン２Ｂにより検出された接触、接触位置、接触時間又は接触回数に基づいてジェスチャの種別を判別する。ジェスチャは、第１タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００３５】
タッチは、第１タッチスクリーンディスプレイ２に指が接触するジェスチャである。スマートフォン１は、第１タッチスクリーンディスプレイ２に指が接触するジェスチャをタッチとして判別する。ロングタッチとは、第１タッチスクリーンディスプレイ２に指が一定時間以上接触するジェスチャである。スマートフォン１は、第１タッチスクリーンディスプレイ２に指が一定時間以上接触するジェスチャをロングタッチとして判別する。
【００３６】
リリースは、指が第１タッチスクリーンディスプレイ２から離れるジェスチャである。スマートフォン１は、指が第１タッチスクリーンディスプレイ２から離れるジェスチャをリリースとして判別する。スワイプは、指が第１タッチスクリーンディスプレイ２上に接触したままで移動するジェスチャである。スマートフォン１は、指が第１タッチスクリーンディスプレイ２上に接触したままで移動するジェスチャをスワイプとして判別する。
【００３７】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００３８】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００３９】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００４０】
ピンチインは、複数の指が互いに近付く方向にスワイプするジェスチャである。スマートフォン１は、複数の指が互いに近付く方向にスワイプするジェスチャをピンチインとして判別する。ピンチアウトは、複数の指が互いに遠ざかる方向にスワイプするジェスチャである。スマートフォン１は、複数の指が互いに遠ざかる方向にスワイプするジェスチャをピンチアウトとして判別する。
【００４１】
スマートフォン１は、第１タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、第１タッチスクリーンディスプレイ２に表示されている画面に応じて異なる。
【００４２】
ここで、第２タッチスクリーンディスプレイ２１０、第３タッチスクリーンディスプレイ２２０及び第４タッチスクリーンディスプレイ２３０は、表示部材として共通の透明表示部材２００を有して構成される。言い換えると、透明表示部材２００は、第２タッチスクリーンディスプレイ２１０、第３タッチスクリーンディスプレイ２２０及び第４タッチスクリーンディスプレイ２３０における表示部材である。
第２タッチスクリーンディスプレイ２１０、第３タッチスクリーンディスプレイ２２０及び第４タッチスクリーンディスプレイ２３０は、共通の透明表示部材２００における所定の領域を表示領域として構成される。
ここで、第２タッチスクリーンディスプレイ２１０、第３タッチスクリーンディスプレイ２２０及び第４タッチスクリーンディスプレイ２３０の詳細な説明の前に、透明表示部材２００について説明する。
【００４３】
透明表示部材２００は、透明性の表示部材である。透明表示部材２００は、両面から表示対象が視認可能に構成される。透明表示部材２００は、例えば、有機ＥＬパネル（Ｏｒｇａｎｉｃ  Ｅｌｅｃｔｒｏ−Ｌｕｍｉｎｅｓｃｅｎｃｅ  ｐａｎｅｌ）である。
【００４４】
透明表示部材２００は、第１タッチスクリーンディスプレイ２におけるバックフェイス１Ｂ側に配置される。透明表示部材２００は、第１タッチスクリーンディスプレイ２における遮光部材２Ｃのバックフェイス１Ｂ側に配置される。
透明表示部材２００は、ハウジング２０の第２方向ＹにおけるＹ１側に配置される。
【００４５】
透明表示部材２００は、第１方向Ｚにおいて、一部が遮光部材２Ｃに重なるように配置される。
透明表示部材２００は、第１方向Ｚにおいて、遮光部材２Ｃにおける背面領域３０２に重ならないように配置される第１透明表示部２００Ａと、遮光部材２Ｃにおける背面領域３０２に重なるように配置される第２透明表示部２００Ｂと、を有する。
【００４６】
第１透明表示部２００Ａは、透明表示部材２００の長さ方向ＹにおけるＹ１側の領域である。
第１透明表示部２００Ａは、上述の通り、第１方向Ｚにおいて遮光部材２Ｃの背面領域３０２に重ならない。第１透明表示部２００Ａは、第１方向Ｚにおいて、ハウジング２０の第１透明領域２０ｂと、第２透明領域２０ｃとの間に配置される。本実施形態において、第１透明領域２０ｂと第２透明領域２０ｃとの間には、透明表示部材２００における第１透明表示部２００Ａのみが配置されている。
これにより、第１透明表示部２００Ａは、ハウジング２０におけるフロントフェイス１Ａ側及びバックフェイス１Ｂ側から視認可能に構成される。第１透明表示部２００Ａは、ハウジング２０におけるフロントフェイス１Ａ側及びバックフェイス１Ｂ側から表示対象が視認可能に構成される。
【００４７】
そして、第１透明表示部２００Ａは、第２タッチスクリーンディスプレイ２１０及び第３タッチスクリーンディスプレイ２２０における表示部材として機能する。
第１透明表示部２００Ａにおけるフロントフェイス１Ａ側の面は、第２タッチスクリーンディスプレイ２１０における表示領域２１０Ａとして機能する。また、第１透明表示部２００Ａにおけるバックフェイス１Ｂ側の面は、第３タッチスクリーンディスプレイ２２０における表示領域２２０Ａとして機能する。
【００４８】
第２透明表示部２００Ｂは、透明表示部材２００の長さ方向ＹにおけるＹ２側の領域である。
第２透明表示部２００Ｂは、上述の通り、第１方向Ｚにおいて遮光部材２Ｃの背面領域３０２に重なる。第２透明表示部２００Ｂは、第１方向Ｚにおいて、ハウジング２０の第３透明領域２０ｄと、遮光部材２Ｃにおける背面領域３０２との間に配置される。
これにより、第２透明表示部２００Ｂは、ハウジング２０におけるバックフェイス１Ｂ側から視認可能に構成される。第２透明表示部２００Ｂは、ハウジング２０におけるバックフェイス１Ｂ側から表示対象が視認可能に構成される。
【００４９】
そして、第２透明表示部２００Ｂは、第４タッチスクリーンディスプレイ２３０における表示部材として機能する。
第２透明表示部２００Ｂにおけるバックフェイス１Ｂ側の面は、第４タッチスクリーンディスプレイ２３０における表示領域２３０Ａとして機能する。
【００５０】
ここで、第２透明表示部２００Ｂは、第１方向Ｚにおいて遮光部材２Ｃの背面領域３０２に重なるように配置されるので、バックフェイス１Ｂ側からの視認性が向上される。言い換えると、第４タッチスクリーンディスプレイ２３０における表示領域２３０Ａの視認性が向上される。
【００５１】
また、上述の通り、透明表示部材２００は、フロントフェイス１Ａ側において、第１透明表示部２００Ａが視認可能であり、バックフェイス１Ｂ側において、第１透明表示部２００Ａと、第２透明表示部２００Ｂとが視認可能に構成される。
詳細には、スマートフォン１は、フロントフェイス１Ａ側において、第１透明表示部２００Ａにおける表示領域２１０Ａが視認可能に構成される。そして、スマートフォン１は、バックフェイス１Ｂ側において、第１透明表示部２００Ａにおける表示領域２２０Ａと、第２透明表示部２００Ｂにおける表示領域２３０Ａとが視認可能に構成される。
【００５２】
ここで、第２タッチスクリーンディスプレイ２１０、第３タッチスクリーンディスプレイ２２０及び第４タッチスクリーンディスプレイ２３０について説明する。
【００５３】
第２タッチスクリーンディスプレイ２１０は、ハウジング２０におけるフロントフェイス１Ａ側に配置される。第２タッチスクリーンディスプレイ２１０は、ハウジング２０におけるフロントフェイス１Ａ側の第２方向ＹにおけるＹ１側に配置される。第２タッチスクリーンディスプレイ２１０は、上述の第１タッチスクリーンディスプレイ２と第２方向Ｙに並んで配置される。
【００５４】
第２タッチスクリーンディスプレイ２１０は、表示領域２１０Ａと、第２タッチスクリーン２１０Ｂとを有する。
表示領域２１０Ａは、第１透明表示部２００Ａにおけるフロントフェイス１Ａ側の面である。上述の通り、第１透明表示部２００Ａは、透明表示部材２００の第２方向ＹにおけるＹ１側の部分である。
第２タッチスクリーン２１０Ｂは、第１タッチスクリーン２Ｂと同様の構成を採用できる。また、第２タッチスクリーン２１０Ｂは、第１タッチスクリーン２Ｂと同様のジェスチャを検出する。
【００５５】
第３タッチスクリーンディスプレイ２２０は、ハウジング２０におけるバックフェイス１Ｂ側に配置される。第３タッチスクリーンディスプレイ２２０は、ハウジング２０におけるバックフェイス１Ｂ側の第２方向ＹにおけるＹ１側に配置される。第２タッチスクリーンディスプレイ２１０は、第４タッチスクリーンディスプレイ２３０と第２方向Ｙに並んで配置される。
【００５６】
第３タッチスクリーンディスプレイ２２０は、表示領域２２０Ａと、第３タッチスクリーン２２０Ｂとを有する。
表示領域２２０Ａは、第１透明表示部２００Ａにおけるバックフェイス１Ｂ側の面である。上述の通り、第１透明表示部２００Ａは、透明表示部材２００の第２方向ＹにおけるＹ１側の部分である。
第３タッチスクリーン２２０Ｂは、第１タッチスクリーン２Ｂと同様の構成を採用できる。また、第３タッチスクリーン２２０Ｂは、第１タッチスクリーン２Ｂと同様のジェスチャを検出する。
【００５７】
第４タッチスクリーンディスプレイ２３０は、ハウジング２０におけるバックフェイス１Ｂ側に配置される。第４タッチスクリーンディスプレイ２３０は、ハウジング２０におけるバックフェイス１Ｂ側の第２方向ＹにおけるＹ２側に配置される。第４タッチスクリーンディスプレイ２３０は、第３タッチスクリーンディスプレイ２２０と第２方向Ｙに並んで配置される。
【００５８】
第４タッチスクリーンディスプレイ２３０は、表示領域２３０Ａと、第４タッチスクリーン２３０Ｂとを有する。
表示領域２３０Ａは、第２透明表示部２００Ｂにおけるバックフェイス１Ｂ側の面である。上述の通り、第２透明表示部２００Ｂは、透明表示部材２００の第２方向ＹにおけるＹ２側の部分である。
【００５９】
ここで、上述の通り、第２透明表示部２００Ｂは、第１方向Ｚにおいて遮光部材２Ｃにおける背面領域３０２と重なる領域である。
表示領域２３０Ａは、バックフェイス１Ｂ側からみて、背面領域３０２の手前側に重なって配置される。
そして、第２透明表示部２００Ｂは、表示対象の色を背面領域３０２における色の反対色、反対色の類似色及びこれらの同系色のいずれかにすることで、ユーザにおける視認性が向上される。
つまり、第４タッチスクリーンディスプレイ２３０は、第２タッチスクリーンディスプレイ２１０及び第３タッチスクリーンディスプレイ２２０よりも視認性が向上している。表示領域２３０Ａは、表示領域２１０Ａ及び表示領域２２０Ａよりも視認性が向上している。
【００６０】
例えば、第４タッチスクリーンディスプレイ２３０は、背面領域３０２が黒色である場合、第２透明表示部２００Ｂにおいて表示対象を白色で表示させる。
第４タッチスクリーンディスプレイ２３０は、表示対象における視認性が向上している。
【００６１】
また、第４タッチスクリーン２３０Ｂは、第１タッチスクリーン２Ｂと同様の構成を採用できる。また、第４タッチスクリーン２３０Ｂは、第１タッチスクリーン２Ｂと同様のジェスチャを検出する。
【００６２】
続けて、図７により、スマートフォン１の内部構造について説明する。
図７に示すように、スマートフォン１は、ハウジング２０の内部に、第１タッチスクリーンディスプレイ２を構成するディスプレイ２Ａ及び遮光部材２Ｃと、透明表示部材２００と、回路基板１００と、レシーバ７と、バッテリ９０と、カメラ１３と、フラッシュ１８とを備える。
【００６３】
上述の通り、第１タッチスクリーンディスプレイ２を構成するディスプレイ２Ａ及び遮光部材２Ｃは、第１方向Ｚにおけるフロントフェイス１Ａ側であって、第２方向ＹにおけるＹ２側に配置される。遮光部材２Ｃは、ディスプレイ２Ａに対して、第１方向Ｚにおけるバックフェイス１Ｂ側に配置される。
【００６４】
透明表示部材２００は、遮光部材２Ｃに対して、第１方向Ｚにおけるバックフェイス１Ｂ側に配置される。
透明表示部２００は、第２方向ＹにおいてＹ１側に配置される。
上述の通り、透明表示部材２００は、第１透明表示部２００Ａが第１方向Ｚにおいて遮光部材２Ｃと重ならず、第２透明表示部２００Ｂが第１方向Ｚにおいて遮光部材２Ｃと重なるように配置される。
【００６５】
第１透明表示部２００Ａは、第１方向Ｚにおいて第１透明領域２０ｂと第２透明領域２０ｃとに挟まれて配置される。
第１透明表示部２００Ａは、フロントフェイス１Ａ側及びバックフェイス１Ｂ側から視認可能にハウジング２０に収容配置される。
第１透明表示部２００Ａにおけるフロントフェイス１Ａ側の面は、第２タッチスクリーンディスプレイ２１０における表示領域２１０Ａとして機能する。また、第１透明表示部２００Ａにおけるバックフェイス１Ｂ側の面は、第３タッチスクリーンディスプレイ２２０における表示領域２２０Ａとして機能する。
【００６６】
第２透明表示部２００Ｂは、第１方向Ｚにおいて遮光部材２Ｃにおける背面領域３０２と重なって配置される。
第２透明表示部２００Ｂは、バックフェイス１Ｂ側から視認可能にハウジング２０に収容配置される。
第２透明表示部２００Ｂにおけるバックフェイス１Ｂ側の面は、第４タッチスクリーンディスプレイ２３０における表示領域２３０Ａとして機能する。
【００６７】
ここで、バックフェイス１Ｂ側からみた場合、表示領域２２０Ａ及び表示領域２３０Ａが視認可能である。
本実施形態において、表示領域２２０Ａ及び表示領域２３０Ａは、連続している。
表示領域２２０Ａと表示領域２３０Ａとを足した領域の広さは、表示領域２１０Ａの広さよりも広い。言い換えると、言い換えると、透明表示部により表示された画像を視認可能な領域は、フロントフェイス１Ａ側よりもバックフェイス１Ｂ側の方が広い。
【００６８】
回路基板１００は、第１方向Ｚにおいて、第１タッチスクリーンディスプレイ２における遮光部材２Ｃ側に第１タッチスクリーンディスプレイ２と重なるように配置されると共に、第１方向Ｚに直交する第２方向Ｙにおいて、透明表示部材２００と並んで配置される。
回路基板１００は、第１方向Ｚにおいて遮光部材２Ｃにおけるバックフェイス１Ｂ側に配置される。回路基板１００は、第１方向Ｚにおいて非背面領域３０１と重なるように配置される。
回路基板１００は、透明表示部材２００の第２方向ＹにおけるＹ２側に配置される。回路基板１００は、第２方向Ｙにおいて透明表示部材２００と略同一平面上に並んで配置される。
【００６９】
レシーバ７は、第２方向ＹにおけるＹ２側の端部に配置される。
バッテリ９０、フラッシュ１８及びカメラ１３は、第１方向Ｚにおいて回路基板１００におけるバックフェイス１Ｂ側に配置される。
バッテリ９０、フラッシュ１８及びカメラ１３は、回路基板１００と電気的に接続される。
【００７０】
続けて、図８及び図９により、第１タッチスクリーンディスプレイ２、第２タッチスクリーンディスプレイ２１０、第３タッチスクリーンディスプレイ２２０及び第４タッチスクリーンディスプレイ２３０における表示態様について説明する。
図８は、透明表示部材に所定画面が表示された場合におけるスマートフォンのフロントフェイス側からみた表示態様を示す図である。図９は、透明表示部材に所定画面が表示された場合におけるスマートフォンのバックフェイス側からみた表示態様を示す図である。
【００７１】
まず、第１タッチスクリーンディスプレイ２におけるディスプレイ２Ａの表示態様について説明する。
ディスプレイ２Ａは、メインディスプレイとして機能する。以下、ディスプレイ２Ａに表示される画面の例について説明する。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００７２】
スマートフォン１は、ホーム画面にアイコンを配置することができる。ホーム画面には、複数のアイコンが配置されている。それぞれのアイコンは、スマートフォン１にインストールされているアプリケーションと予め対応付けられている。スマートフォン１は、アイコンに対するジェスチャを検出すると、そのアイコンに対応付けられているアプリケーションを実行する。例えば、スマートフォン１は、メールアプリケーションに対応付けられたアイコンに対するタップを検出すると、メールアプリケーションを実行する。ここで、スマートフォン１は、例えば、第１タッチスクリーンディスプレイ２に対するアイコンの表示位置又は表示領域に対応する位置へのジェスチャを、アイコンに対応付けられたアプリケーションの実行命令であると解釈する。
【００７３】
アイコンは、画像と文字列を含む。アイコンは、画像に代えて、記号又は図形を含んでもよい。アイコンは、画像又は文字列のいずれか一方を含まなくてもよい。アイコンは、所定の規則に従って配置される。アイコンの背後には、壁紙が表示される。壁紙は、フォトスクリーン又はバックスクリーンと呼ばれることもある。スマートフォン１は、任意の画像を壁紙として用いることができる。画像は、例えば、利用者の設定に従って任意の画像が壁紙として決定される。
【００７４】
スマートフォン１は、ホーム画面の数を増減することができる。スマートフォンは、例えば、ホーム画面の数を利用者による設定に従って決定する。スマートフォン１は、ホーム画面を表示する場合、ホーム画面の数が複数であっても、それらのうちから選択された１つをディスプレイ２Ａに表示する。
【００７５】
スマートフォン１は、ホーム画面上に、１つ又は複数のロケータを表示する。ロケータの数は、ホーム画面の数と一致する。ロケータは、現在表示されているホーム画面の位置を示す。現在表示されているホーム画面に対応するロケータは、他のロケータと異なる態様で表示される。
【００７６】
スマートフォン１は、ホーム画面を表示中に特定のジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。また、スマートフォン１は、左フリックを検出すると、ディスプレイ２Ａに表示するホーム画面を１つ右のホーム画面に切り替える。
【００７７】
続けて、第２タッチスクリーンディスプレイ２１０における表示領域２１０Ａ（第１透明表示部２００Ａ）の表示態様について説明する。
表示領域２１０Ａは、上述のディスプレイ２Ａにおいて表示可能なアイコン等を表示可能に構成される。ここで、表示領域２１０Ａは、ディスプレイ２Ａに比べてアイコン等を表示する領域が狭いので、アイコン等の大きさ及び形状を変更して表示してもよい。
図８に示すように、表示領域２１０Ａは、所定のアイコン及び情報を表示可能に構成される。第１透明表示部２００Ａは、表示対象５０を表示可能に構成される。
【００７８】
続けて、第３タッチスクリーンディスプレイ２２０における表示領域２２０Ａの表示態様について説明する。
表示領域２２０Ａは、上述のディスプレイ２Ａにおいて表示可能なアイコン等を表示可能に構成される。ここで、表示領域２２０Ａは、ディスプレイ２Ａに比べてアイコン等を表示する領域が狭いので、アイコン等の大きさ及び形状を変更して表示してもよい。
図９に示すように、表示領域２２０Ａは、所定のアイコン及び情報を表示可能に構成される。第１透明表示部２００Ａは、表示対象５０を表示可能に構成される。
【００７９】
ここで、表示領域２２０Ａに表示される所定のアイコン及び情報は、表示領域２１０Ａ（図８参照）に表示される所定のアイコン及び情報と左右反転した態様で表示される。
表示領域２１０Ａ及び表示領域２２０Ａに表示される表示対象５０は同じものであるが、表示領域２１０Ａに表示される表示対象５０はフロントフェイス１Ａ側からの表示態様であり、表示領域２２０Ａに表示される表示対象５０はバックフェイス１Ｂ側からの表示態様である。
このため、表示領域２１０Ａ及び表示領域２２０Ａに表示される表示対象５０は、互いに左右反転した表示態様となっている。
【００８０】
また、ここで、表示領域２１０Ａ及び表示領域２２０Ａを形成する第１透明表示部２００Ａは、透明性の表示部材であると共に、フロントフェイス１Ａ及びバックフェイス１Ｂの双方から視認可能に構成される。このため、表示領域２１０Ａ及び表示領域２２０Ａにおいて、表示対象５０の内容が視認しにくい場合がある。
そのため、表示領域２１０Ａ及び表示領域２２０Ａにおける表示対象５０は、高精細な画像等ではなく、文字及び簡易な画像だけであってもよい。第１透明表示部２００Ａにおける表示対象５０は、高精細な画像等ではなく、文字及び簡易な画像であるアイコン等であってもよい。
【００８１】
続けて、第４タッチスクリーンディスプレイ２３０における表示領域２３０Ａの表示態様について説明する。
表示領域２３０Ａは、上述のディスプレイ２Ａにおいて表示可能なアイコン等を表示可能に構成される。ここで、表示領域２３０Ａは、ディスプレイ２Ａに比べてアイコン等を表示する領域が狭いので、アイコン等の大きさ及び形状を変更して表示してもよい。
【００８２】
表示領域２３０Ａは、所定のアイコン及び情報を表示可能に構成される。第２透明表示部２００Ｂは、表示対象５０を表示可能に構成される。
ここで、表示領域２３０Ａは、透明表示部材２００における第１方向Ｚにおいて背面領域３０２と重なる領域である。第２透明表示部２００Ｂは、透明表示部材２００における第１方向Ｚにおいて背面領域３０２と重なる領域である。
表示領域２３０Ａは、第１方向Ｚにおいて遮光部材２Ｃの背面領域３０２と重なると共に、背面領域３０２のバックフェイス１Ｂ側に配置される。
このため、表示領域２３０Ａは、バックフェイス１Ｂ側から見た場合、表示領域２２０Ａに比べて表示対象５０の内容が視認しやすいようい構成される。
【００８３】
表示領域２３０Ａは、例えば、背面領域３０２の色と反対色、反対色の類似色及びこれらの同系色のいずれかで表示対象５０を表示できる。この場合、表示領域２３０Ａに表示された表示対象５０は、表示領域２２０Ａに表示された表示対象に比べて大幅に視認しやすい。
そのため、表示領域２３０Ａは、例えば、高精細な画像を表示するよう構成されてもよい。
【００８４】
上述より、スマートフォン１は、バックフェイス１Ｂ側の表示について、第３タッチスクリーンディスプレイ２２０における表示領域２２０Ａに文字及び高精細ではない画像を表示させ、第４タッチスクリーンディスプレイ２３０における表示領域２３０Ａに高精細な画像を表示させるように構成されてもよい。スマートフォン１は、バックフェイス１Ｂ側の表示について、第３タッチスクリーンディスプレイ２２０における表示領域２２０Ａに文字及びアイコン等を表示させ、第４タッチスクリーンディスプレイ２３０における表示領域２３０Ａに写真、地図等を表示させるように構成されてもよい。
【００８５】
例えば、スマートフォン１は、メールの内容を表示する場合、表示領域２２０Ａに文字列を表示させ、表示領域２３０Ａに添付画像を表示させることができる（図１１参照）。後述のコントローラ１０は、メールの内容を表示する場合、表示領域２２０Ａに文字列を表示させ、表示領域２３０Ａに添付画像を表示させることができる（図１１参照）。
また、例えば、スマートフォン１は、Ｗｅｂサイトから受信した情報を表示する場合、表示領域２２０Ａに文字列を表示させ、表示領域２３０Ａに画像を表示させることができる（図１３参照）。コントローラ１０は、Ｗｅｂサイトから受信した情報を表示する場合、表示領域２２０Ａに文字列を表示させ、表示領域２３０Ａに画像を表示させることができる（図１３参照）。
【００８６】
また、例えば、スマートフォン１は、カメラ１３により取得する撮像画像データに基づく画像を表示する場合、表示領域２２０Ａに操作用アイコンを表示させ、表示領域２３０Ａに撮像画像データに基づく画像を表示させることができる（図１４参照）。コントローラ１０は、カメラ１３により取得する撮像画像データに基づく画像を表示する場合、表示領域２２０Ａに操作用アイコンを表示させ、表示領域２３０Ａに撮像画像データに基づく画像を表示させることができる（図１４参照）。
【００８７】
図１０により、スマートフォン１の機能構成について説明する。また、併せて、図１１から図１４により、スマートフォン１における表示態様について説明する。
図１０は、スマートフォンにおける機能ブロック図である。図１１は、スマートフォンの第１透明表示部及び第２透明表示部における表示態様の一例を説明する図である。図１２は、スマートフォンの第１透明表示部及び第２透明表示部における表示態様の一例を説明する図である。図１３は、スマートフォンの第１透明表示部及び第２透明表示部における表示態様の一例を説明する図である。図１４は、スマートフォンの第１透明表示部及び第２透明表示部における表示態様の一例を説明する図である。
【００８８】
スマートフォン１は、第１タッチスクリーンディスプレイ２と、第２タッチスクリーンディスプレイ２１０と、第３タッチスクリーンディスプレイ２２０と、第４タッチスクリーンディスプレイ２３０と、照度センサ４と、近接センサ５と、通信ユニット６と、レシーバ７と、マイク８と、ストレージ９と、コントローラ１０と、カメラ１２及び１３と、加速度センサ１５と、方位センサ１６と、回転検出センサ１７とを有する。
【００８９】
第１タッチスクリーンディスプレイ２は、上述したように、ディスプレイ２Ａと、第１タッチスクリーン２Ｂとを有する。ディスプレイ２Ａは、文字、画像、記号、又は図形等を表示する。第１タッチスクリーン２Ｂは、ジェスチャを検出する。
【００９０】
第２タッチスクリーンディスプレイ２１０は、上述したように、表示領域２１０Ａと、第２タッチスクリーン２１０Ｂとを有する。第２タッチスクリーンディスプレイ２１０は、上述したように、第１透明表示部２００Ａと、第２タッチスクリーン２１０Ｂとを有する。
表示領域２１０Ａは、文字、画像、記号、又は図形等を表示する。第２タッチスクリーン２１０Ｂは、ジェスチャを検出する。第１透明表示部２００Ａは、文字、画像、記号、又は図形等を表示する。第２タッチスクリーン２１０Ｂは、ジェスチャを検出する。
【００９１】
第３タッチスクリーンディスプレイ２２０は、上述したように、表示領域２２０Ａと、第３タッチスクリーン２２０Ｂとを有する。第３タッチスクリーンディスプレイ２２０は、上述したように、第１透明表示部２００Ａと、第３タッチスクリーン２２０Ｂとを有する。
表示領域２２０Ａは、文字、画像、記号、又は図形等を表示する。第１透明表示部２００Ａは、文字、画像、記号、又は図形等を表示する。
第３タッチスクリーン２２０Ｂは、ジェスチャを検出する。
ここで、表示領域２２０Ａは、文字情報、及び表示領域２３０Ａに比べて低精細な画像を表示するように設定されてもよい。第１透明表示部２００Ａは、文字情報、及び第２透明表示部２００Ｂに比べて低精細な画像を表示するように設定されてもよい。
【００９２】
第４タッチスクリーンディスプレイ２３０は、上述したように、表示領域２３０Ａと、第４タッチスクリーン２３０Ｂとを有する。第４タッチスクリーンディスプレイ２３０は、上述したように、第２透明表示部２００Ｂと、第４タッチスクリーン２３０Ｂとを有する。
表示領域２３０Ａは、文字、画像、記号、又は図形等を表示する。第２透明表示部２００Ｂは、文字、画像、記号、又は図形等を表示する。
第４タッチスクリーン２３０Ｂは、ジェスチャを検出する。
ここで、表示領域２３０Ａは、表示領域２２０Ａに比べて高精細な画像を表示するように設定されてもよい。第２透明表示部２００Ｂは、第１透明表示部２００Ａに比べて高精細な画像を表示するように設定されてもよい。
【００９３】
また、表示領域２１０Ａ、表示領域２２０Ａ及び表示領域２３０Ａは、共通の透明表示部２００により構成される。そのため、後述するコントローラ１０は、表示領域２１０Ａ、表示領域２２０Ａ及び表示領域２３０Ａのいずれの表示対象の内容を制御する場合でも、透明表示部材２００に対して制御信号を出力するよう構成される。例えば、コントローラ１０は、表示領域２１０Ａ、表示領域２２０Ａ及び表示領域２３０Ａのいずれの表示対象の色を制御する場合でも、透明表示部材２００に対して制御信号を出力するよう構成される。
【００９４】
照度センサ４は、照度を検出する。例えば、照度とは、光の強さ、明るさ、輝度等である。照度センサ４は、例えば、ディスプレイ２Ａの輝度の調整に用いられる。
【００９５】
近接センサ５は、近隣の物体の存在を非接触で検出する。近接センサ５は、例えば、第１タッチスクリーンディスプレイ２が顔に近付けられたことを検出する。
【００９６】
通信ユニット６は、無線により通信する。通信ユニット６によって行われる通信方式は、無線通信規格である。例えば、無線通信規格として、２Ｇ、３Ｇ、４Ｇ等のセルラーフォンの通信規格がある。例えば、セルラーフォンの通信規格としては、ＬＴＥ（Ｌｏｎｇ  Ｔｅｒｍ  Ｅｖｏｌｕｔｉｏｎ）、Ｗ−ＣＤＭＡ、ＣＤＭＡ２０００、ＰＤＣ、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。例えば、無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００９７】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカを更に有してもよい。スマートフォン１は、レシーバ７に代えて、スピーカを更に有してもよい。
【００９８】
カメラ１２は、フロントフェイス１Ａに面している物体を撮影するインカメラである。カメラ１３は、バックフェイス１Ｂに面している物体を撮影するアウトカメラである。
【００９９】
フラッシュ１８は、バックフェイス１Ｂ側に配置される。フラッシュ１８は、カメラ１３において被写体を撮影する際に被写体に光を照射するための発光部である。
【０１００】
加速度センサ１５は、スマートフォン１に働く加速度の方向及び大きさを検出する。方位センサ１６は、地磁気の向きを検出する。
回転検出センサ１７は、スマートフォン１の回転を検出する。加速度センサ１５、方位センサ１６及び回転検出センサ１７の検出結果は、スマートフォン１の位置及び姿勢の変化を検出するために、組み合わせて利用される。
【０１０１】
ストレージ９は、プログラム及びデータを記憶する。また、ストレージ９は、コントローラ１０の処理結果を一時的に記憶する作業領域としても利用される。ストレージ９は、半導体記憶デバイス、及び磁気記憶デバイス等の任意の記憶デバイスを含んでよい。また、ストレージ９は、複数の種類の記憶デバイスを含んでよい。また、ストレージ９は、メモリカード等の可搬の記憶媒体と、記憶媒体の読み取り装置との組み合わせを含んでよい。
【０１０２】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに所定の画面を表示させ、第１タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は記憶媒体を介してストレージ９にインストールされてもよい。
【０１０３】
ストレージ９は、例えば、制御プログラム９Ａ、メールアプリケーション９Ｂ、ブラウザアプリケーション９Ｃ、設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。テーブル９Ｄは、キーアサインテーブル等の各種テーブルが格納されている。配置パターンデータベース９Ｅは、ディスプレイ２Ａに表示されるアイコン等の配置パターンが格納されている。設定データ９Ｚは、スマートフォン１の動作に関する各種の設定機能を提供する。
【０１０４】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、第１タッチスクリーン２Ｂを介して検出されたジェスチャに応じて、ディスプレイ２Ａに表示されている情報を変更する等の各種制御を行う機能が含まれる。なお、制御プログラム９Ａが提供する機能は、メールアプリケーション９Ｂ等の他のプログラムが提供する機能と組み合わせて利用されることがある。
【０１０５】
コントローラ１０は、例えば、ＣＰＵ（Ｃｅｎｔｒａｌ  Ｐｒｏｃｅｓｓｉｎｇ  Ｕｎｉｔ）である。コントローラ１０は、通信ユニット６等の他の構成要素が統合されたＳｏＣ（Ｓｙｓｔｅｍ−ｏｎ−ａ−ｃｈｉｐ）等の集積回路であってもよい。コントローラ１０は、スマートフォン１の動作を統括的に制御して各種の機能を実現する。
【０１０６】
具体的には、コントローラ１０は、ストレージ９に記憶されているデータを必要に応じて参照しつつ、ストレージ９に記憶されているプログラムに含まれる命令を実行して、ディスプレイ２Ａ及び通信ユニット６等を制御することによって各種機能を実現する。コントローラ１０は、第１タッチスクリーン２Ｂ、第２タッチスクリーン２１０Ｂ、第３タッチスクリーン２２０Ｂ、第４タッチスクリーン２３０Ｂ、加速度センサ１５等の各種検出部の検出結果に応じて、制御を変更することもある。
【０１０７】
コントローラ１０は、例えば、制御プログラム９Ａを実行することにより、第１タッチスクリーン２Ｂ、第２タッチスクリーン２１０Ｂ、第３タッチスクリーン２２０Ｂ及び第４タッチスクリーン２３０Ｂを介して検出されたジェスチャに応じて、ディスプレイ２Ａ、表示領域２１０Ａ、表示領域２２０Ａ及び表示領域２３０Ａに表示されている情報を変更する等の各種制御を実行する。
【０１０８】
制御部であるコントローラ１０は、透明表示部材２００に表示される表示対象５０の色を変更可能である。
コントローラ１０は、透明表示部材２００に表示される表示対象５０の全部又は一部の色を変更可能である。コントローラ１０は、第１透明表示部２００Ａ及び第２透明表示部２００Ｂに表示される表示対象５０の全部又は一部の色を変更可能である。
コントローラ１０は、透明表示部材２００における第１透明表示部２００Ａに表示される表示対象の色と、第２透明表示部２００Ｂに表示される表示対象５０の色とを個別に変更可能に構成される。
コントローラ１０は、第２透明表示部２００Ｂにおける表示対象の色を、遮光部材２Ｃにおける背面領域３０２の色に応じて制御可能に構成される。コントローラ１０は、表示領域２３０Ａにおける表示対象の色を、遮光部材２Ｃにおける背面領域３０２の色に応じて制御可能に構成される。
【０１０９】
また、例えば、コントローラ１０は、第２透明表示部２００Ｂにおける表示対象の色を、遮光部材２Ｃにおける背面領域３０２の色の反対色、反対色の類似色及びこれらの同系色のいずれかに変更する第１モードと、第２透明表示部２００Ｂにおける表示対象の色を、遮光部材２Ｃにおける背面領域３０２の色の類似色及びこれらの同系色のいずれかに変更する第２モードと、を有するように構成されていてもよい。コントローラ１０は、表示領域２３０Ａにおける表示対象の色を、遮光部材２Ｃにおける背面領域３０２の色の反対色、反対色の類似色及びこれらの同系色のいずれかに変更する第１モードと、表示領域２３０Ａにおける表示対象の色を、遮光部材２Ｃにおける背面領域３０２の色の類似色及びこれらの同系色のいずれかに変更する第２モードと、を有するように構成されていてもよい。
第１モードは、表示対象の内容をしっかりと視認できるよう表示させるモードであり、第２モードは、表示対象の内容を外部から視認し難くするモードである。ここで、コントローラ１０は、第２モードにおいて、表示対象の全部について色を変更するようにしてもよく、一部についてのみ色を変更するようにしてもよい。
【０１１０】
具体的には、図１１に示すように、コントローラ１０は、例えば、背面領域３０２の色が黒色である場合、第１モードにおいて、第２透明表示部２００Ｂ（表示領域２３０Ａ）における表示対象の色を、白色にする。この場合、第２透明表示部２００Ｂ（表示領域２３０Ａ）に表示された画像は、外部から視認しやすい表示態様となる。
コントローラ１０は、例えば、背面領域３０２の色が黒色である場合、第１モードにおいて、表示領域２３０Ａにおける表示対象の色を、白色にする。この場合、表示領域２３０Ａに表示された画像は、外部から視認しやすい表示態様となる。
ユーザは、スマートフォン１の第４タッチスクリーンディスプレイ２３０に表示された文字及び画像を好適に視認できる。
【０１１１】
また、図１２に示すように、コントローラ１０は、例えば、背面領域３０２の色が黒色である場合、第２モードにおいて、第２透明表示部２００Ｂにおける表示対象の色を、黒色又は灰色にする。この場合、第２透明表示部２００Ｂに表示された画像は、外部から視認し難い表示態様となる。コントローラ１０は、例えば、背面領域３０２の色が黒色である場合、第２モードにおいて、表示領域２３０Ａにおける表示対象の色を、黒色又は灰色にする。この場合、表示領域２３０Ａに表示された画像は、外部から視認し難い表示態様となる。第３者は、スマートフォン１の第４タッチスクリーンディスプレイ２３０に表示された文字及び画像を容易には視認できない。
【０１１２】
コントローラ１０は、例えば、通常は第１モードで動作し、所定のアプリケーションにおける画面データに対しては第２モードで動作するように構成されてもよい。
コントローラ１０は、例えば、メールアプリケーション、及びアドレス帳アプリケーション等の所定のアプリケーションから表示が指示された画像データについて、全部又は一部の色を変更するように構成されてもよい。
【０１１３】
また、コントローラ１０は、所定の画面データに基づいて、第１透明表示部２００Ａと、第２透明表示部２００Ｂとに所定の表示対象を表示させると共に、画面データに画像データが含まれる場合、第２透明表示部２００Ｂに画像データに基づく画像を表示させるよう構成されてもよい。コントローラ１０は、所定の画面データに基づいて、表示領域２２０Ａと、表示領域２３０Ａとに所定の表示対象を表示させると共に、画面データに画像データが含まれる場合、表示領域２３０Ａに画像データに基づく画像を表示させるよう構成されてもよい。
コントローラ１０は、画面データに文字データと画像データとが含まれる場合、第１透明表示部２００Ａに文字データに基づく文字列を表示させ、第２透明表示部２００Ｂに画像データに基づく画像を表示させるように構成されてもよい。
【０１１４】
具体的には、図１１に示すように、コントローラ１０は、例えば、メールデータに含まれるテキストデータと添付画像データをと第１透明表示部２００Ａ及び第２透明表示部２００Ｂに表示させる場合、テキストデータに基づいて第１透明表示部２００Ａに文字列を表示させ、添付画像データに基づいて第２透明表示部２００Ｂに画像を表示させる。
【０１１５】
この場合、文字列は、視認し難い第１透明表示部２００Ａに表示されるが、高精細ではないのでユーザにより視認可能である。
また、画像は、視認しやすい第２透明表示部２００Ｂに表示されるので、高精細であってもユーザにより視認可能である。
【０１１６】
また、図１３に示すように、コントローラ１０は、例えば、Ｗｅｂページからの画面データに含まれる文字データと画像データをと第１透明表示部２００Ａ及び第２透明表示部２００Ｂに表示させる場合、文字データに基づいて第１透明表示部２００Ａに文字列を表示させ、画像データに基づいて第２透明表示部２００Ｂに画像を表示させる。
【０１１７】
この場合、上述と同様に、文字列は、視認し難い第１透明表示部２００Ａに表示されるが、高精細ではないのでユーザにより視認可能である。また、画像は、視認しやすい第２透明表示部２００Ｂに表示されるので、高精細であってもユーザにより視認可能（内容を認識可能）である。言い換えると、文字列は、視認し難い表示領域２２０Ａに表示されるが、高精細ではないのでユーザにより内容を認識可能である。また、画像は、視認しやすい表示領域２３０Ａに表示されるので、高精細であってもユーザにより内容を認識可能である。
【０１１８】
また、コントローラ１０は、所定のアプリケーションから所定の画像データについて表示指示を受けた場合、第２透明表示部２００Ｂに画像データに基づく画像を表示させ、第１透明表示部２００Ａに所定のアプリケーションで利用される操作用のアイコン又は文字列を表示させるよう構成されてもよい。
【０１１９】
具体的には、図１４に示すように、コントローラ１０は、例えば、カメラアプリケーションから撮像画像データの表示指示を受けた場合、第２透明表示部２００Ｂに撮像画像データに基づく撮像画像を表示させ、第１透明表示部２００Ａにカメラアプリケーションで利用される操作用のアイコン５１を表示させるよう構成されてもよい。
この場合、撮像画像は、視認しやすい第２透明表示部２００Ｂに表示されるので、高精細であってもユーザにより視認可能である。撮像画像は、視認しやすい表示領域２３０Ａに表示されるので、高精細であってもユーザにより内容を認識可能である。
【０１２０】
また、スマートフォン１は、第２透明表示部２００Ｂに撮像画像を表示させると共に、第１透明表示部２００Ａに操作用のアイコン５１を表示させる。スマートフォン１は、表示領域２３０Ａに撮像画像を表示させると共に、表示領域２２０Ａに操作用のアイコン５１を表示させる。スマートフォン１は、第３タッチスクリーンディスプレイ２２０に操作用のアイコン５１を表示させる。
これにより、ユーザは、第２透明表示部２００Ｂに表示された撮像画像を見ながら、第３タッチスクリーンディスプレイ２２０により撮像操作を行うことができる。ユーザは、表示領域２３０Ａに表示された撮像画像を見ながら、表示領域２２０Ａにより撮像操作を行うことができる。
【０１２１】
本実施形態によれば、透明表示部材を備えた装置を提供することができる。
また、本実施形態によれば、スマートフォン１は、メイン表示用領域２０ａ及び第１透明領域２０ｂを有するフロントフェイス１Ａと、第１方向Ｚにおいてフロントフェイス１Ａと重なるバックフェイス１Ｂであって、第１方向Ｚにおいて第１透明領域２０ｂと重なる第２透明領域２０ｃ及び、第１方向Ｚにおいて第１透明領域２０ｂと重ならない第３透明領域２０ｄを有するバックフェイス１Ｂと、を有するハウジング２０と、ハウジング２０に収容され、メイン表示用領域２０ａに対応して配置されるディスプレイ２Ａ及びディスプレイ２Ａと反対側に配置される遮光部材２Ｃを有する第１タッチスクリーンディスプレイ２と、第１タッチスクリーンディスプレイ２におけるバックフェイス１Ｂ側に配置される透明表示部材２００であって、第１方向Ｚにおいて第１透明領域２０ｂと第２透明領域２０ｃとの間に配置される第１透明表示部２００Ａ及び、第１方向Ｚにおいて遮光部材２Ｃの全部又は一部と第３透明領域２０ｄとの間に配置される第２透明表示部２００Ｂを有する透明表示部材２００と、を備える。
これにより、スマートフォン１は、フロントフェイス１Ａ側及びバックフェイス１Ｂ側から表示対象が視認可能な第１透明表示部を有する。
また、これにより、スマートフォン１は、バックフェイス１Ｂ側から表示対象が視認可能な第２透明表示部２００Ｂを有する。
【０１２２】
また、本実施形態によれば、透明表示部材２００は、フロントフェイス１Ａ側において、第１透明表示部２００Ａが視認可能であり、バックフェイス１Ｂ側において、第１透明表示部２００Ａと、第２透明表示部２００Ｂとが視認可能である。
これにより、スマートフォン１は、フロントフェイス１Ａ側において第１透明表示部２００Ａが視認可能であり、バックフェイス１Ｂ側において第１透明表示部２００Ａ及び第２透明表示部２００Ｂが視認可能に構成される。
また、これにより、スマートフォン１は、一の透明表示部材２００により、フロントフェイス１Ａ側とバックフェイス１Ｂ側とで表示領域が異なるよう構成される。
【０１２３】
また、本実施形態によれば、遮光部材２Ｃは、第１方向Ｚにおいて、第２透明表示部２００Ｂと重なる領域であって所定の色である背面領域３０２を有する。
これにより、スマートフォン１は、第２透明表示部２００Ｂにおける表示対象の視認性が向上される。マートフォン１は、表示領域２３０Ａにおける表示対象の視認性が向上される。
【０１２４】
また、本実施形態によれば、第２透明表示部２００Ｂは、背面領域３０２における色の反対色、反対色の類似色及びこれらの同系色のいずれかで表示対象を表示する。
これにより、スマートフォン１は、第２透明表示部２００Ｂにおける表示対象の視認性がより向上される。スマートフォン１は、表示領域２３０Ａにおける表示対象の視認性がより向上される。
これにより、スマートフォン１は、第２透明表示部２００Ｂに高精細な表示対象、例えば、画像等を表示させることができる。
【０１２５】
また、本実施形態によれば、遮光部材２Ｃにおける背面領域３０２は、黒色に着色されており、第２透明表示部２００Ｂは、表示対象を白色で表示させる。
これにより、スマートフォン１は、第２透明表示部２００Ｂにおける表示対象の視認性がより向上される。スマートフォン１は、表示領域２３０Ａにおける表示対象の視認性がより向上される。
また、スマートフォン１は、大きな負担無く、第２透明表示部２００Ｂにおける表示対象の視認性が向上される。スマートフォン１は、大きな負担無く、表示領域２３０Ａにおける表示対象の視認性が向上される。
【０１２６】
また、本実施形態によれば、スマートフォン１は、透明表示部材２００に表示される表示対象の色を変更可能なコントローラ１０であって、第２透明表示部２００Ｂにおける表示対象の色を、遮光部材２Ｃにおける背面領域３０２の色に応じて制御するコントローラと、を備える。
これにより、スマートフォン１は、第２透明表示部２００Ｂにおける表示対象の視認性がより向上される。スマートフォン１は、表示領域２３０Ａにおける表示対象の視認性がより向上される。
また、これにより、スマートフォン１は、背面領域３０２の色が何色でも、第２透明表示部２００Ｂにおける表示対象の視認性がより向上される。スマートフォン１は、背面領域３０２の色が何色でも、表示領域２３０Ａにおける表示対象の視認性がより向上される。
また、スマートフォン１は、背面領域３０２の色に応じて、表示対象の印象を変えずに、第２透明表示部２００Ｂにおける表示対象の視認性がより向上される。スマートフォン１は、背面領域３０２の色に応じて、表示対象の印象を変えずに、表示領域２３０Ａにおける表示対象の視認性がより向上される。
【０１２７】
また、本実施形態によれば、コントローラ１０は、第２透明表示部２００Ｂにおける表示対象の色を、遮光部材２Ｃにおける背面領域３０２の色の反対色、反対色の類似色及びこれらの同系色のいずれかに変更する第１モードと、第２透明表示部２００Ｂにおける表示対象の色を、遮光部材２Ｃにおける背面領域３０２の色の類似色及びこれらの同系色のいずれかに変更する第２モードと、を有する。
これにより、スマートフォン１は、第２透明表示部２００Ｂにおける表示態様を、外部から見やすい表示態様と、外部から見難い表示態様とに切り替え可能に構成される。これにより、スマートフォン１は、第２透明表示部２００Ｂにおける表示対象の視認性を良好な状態と、不良な状態とに変更可能に構成される。これにより、スマートフォン１は、表示領域２３０Ａにおける表示対象の視認性を良好な状態と、不良な状態とに変更可能に構成される。
これにより、スマートフォン１は、所定の場合において、第２透明表示部２００Ｂにおける表示対象を見難くして、外部からの盗み見等を抑制可能に構成される。
【０１２８】
また、本実施形態によれば、コントローラ１０は、所定の画面データに基づいて、第１透明表示部２００Ａと、第２透明表示部２００Ｂとに所定の表示対象を表示させると共に、画面データに画像データが含まれる場合、第２透明表示部２００Ｂに画像データに基づく画像を表示させる。コントローラ１０は、所定の画面データに基づいて、第１透明表示部２００Ａと、第２透明表示部２００Ｂとに所定の表示対象を表示させると共に、画面データに画像データが含まれる場合、表示領域２３０Ａに画像データに基づく画像を表示させる。
これにより、スマートフォン１は、透明表示部材２００における表示において、高精細な画像を第２透明表示部２００Ｂに表示させるよう構成される。これにより、スマートフォン１は、高精細な画像を透明表示部材２００に視認可能に表示する。
【０１２９】
また、本実施形態によれば、コントローラ１０は、画面データに文字データと画像データとが含まれる場合、第１透明表示部２００Ａに前記文字データに基づく文字列を表示させ、第２透明表示部２００Ｂに画像データに基づく画像を表示させる。コントローラ１０は、画面データに文字データと画像データとが含まれる場合、表示領域２２０Ａに前記文字データに基づく文字列を表示させ、表示領域２３０Ａに画像データに基づく画像を表示させる。
これにより、スマートフォン１は、透明表示部材２００における表示において、高精細な画像を第２透明表示部２００Ｂに表示させると共に、高精細でない文字列を第１透明表示部２００Ａに表示させる。
また、これにより、スマートフォン１は、効率よく、画面データ全体を透明表示部材２００に視認可能に表示させる。
【０１３０】
また、本実施形態によれば、スマートフォン１は、第１方向Ｚにおいて、第１タッチスクリーンディスプレイ２における遮光部材２Ｃ側に第１タッチスクリーンディスプレイ２と重なるように配置されると共に、第１方向Ｚに交差する第２方向Ｙにおいて、透明表示部材２００と並んで配置される回路基板１００と、を備える。これにより、スマートフォン１は、省スペース化される。
【０１３１】
なお、本実施形態においてストレージ９が記憶することとしたプログラムの一部又は全部は、通信ユニット６による無線通信で他の装置からダウンロードされてもよい。
また、本実施形態においてストレージ９が記憶することとしたプログラムの一部又は全部は、ストレージ９に含まれる読み取り装置が読み取り可能な記憶媒体に記憶されていてもよい。
また、本実施形態においてストレージ９が記憶することとしたプログラムの一部又は全部は、外部インターフェイス（不図示）に接続される読み取り装置が読み取り可能なＣＤ、ＤＶＤ、又はＢｌｕ−ｒａｙ等の記憶媒体に記憶されていてもよい。
【０１３２】
また、本実施形態において示したスマートフォン１の構成は一例であり、本発明の要旨を損なわない範囲において適宜変更してよい。例えば、スマートフォン１は、操作用のボタンを有して構成されていてもよい。例えば、スマートフォン１は、画面に関する操作のためのボタンとして、テンキー配列又はＱＷＥＲＴＹ配列等のボタンを備えていてもよい。
また、本実施形態において、スマートフォン１が２つのカメラを備えることとしたが、スマートフォン１は、１つのカメラのみを備えてもよいし、カメラを備えなくてもよい。
また、本実施形態において、スマートフォン１が位置及び姿勢を検出するために３種類のセンサを備えることとしたが、スマートフォン１は、このうちいくつかのセンサを備えなくてもよいし、位置及び姿勢を検出するための他の種類のセンサを備えてもよい。また、照度センサ４と近接センサ５は、別体ではなく、単一のセンサにより構成されてもよい。
【０１３３】
本発明を完全かつ明瞭に開示するために特徴的な実施形態に関し記載してきた。しかし、添付の請求項に係る発明は、上記実施形態に限定されるべきものでなく、本明細書に示した基礎的事項の範囲内で当該技術分野の当業者が創作しうるすべての変形例及び代替可能な構成を具現化するように構成されるべきである。
【０１３４】
また、本実施形態では、タッチスクリーンディスプレイを備える装置の一例として、スマートフォンについて説明したが、添付の請求項に係る装置は、スマートフォンに限定されない。例えば、添付の請求項に係る装置は、モバイルフォン、携帯型パソコン、デジタルカメラ、メディアプレイヤ、電子書籍リーダ、ナビゲータ、又はゲーム機等の携帯電子機器であってもよい。また、添付の請求項に係る装置は、デスクトップパソコン、テレビ受像器等の据え置き型の電子機器であってもよい。
【０１３５】
また、本実施形態において、遮光部材がメイン表示部材の一部を構成している場合について説明したが、本発明の装置は、これに限定されない。
例えば、装置は、メイン表示用領域及び第１透明領域を有する第１面と、第１方向において前記第１面と重なるように配置される第２面であって、前記第１方向において前記第１透明領域と重なる第２透明領域及び、前記第１方向において前記第１透明領域と重ならない第３透明領域を有する第２面と、を有するケース部材と、ケース部材に収容される遮光部材と、前記第１方向において前記第１透明領域と前記第２透明領域との間に配置される第１透明表示部及び、前記第１方向において前記遮光部材の全部又は一部と前記第３透明領域との間に配置される第２透明表示部を有する透明表示部材と、を備えるものであってもよい。
また、遮光部材は、単独で配置されていてもよく、回路基板、フレキシブルプリント基板、キー基板の一部を構成するものであってもよい。
【符号の説明】
【０１３６】
１      スマートフォン
１Ａ    フロントフェイス
１Ｂ    バックフェイス
２      第１タッチスクリーンディスプレイ
２Ａ    ディスプレイ
２Ｂ    タッチスクリーン
２Ｃ    遮光部材
４      照度センサ
５      近接センサ
６      通信ユニット
７      レシーバ
８      マイク
９      ストレージ
９Ａ    制御プログラム
９Ｂ    メールアプリケーション
９Ｃ    ブラウザアプリケーション
９Ｄ    テーブル
９Ｅ    配置パターンデータベース
９Ｚ    設定データ
１０      コントローラ
１２、１３  カメラ
１５      加速度センサ
１６      方位センサ
１７      回転検出センサ
２０      ハウジング
２０ａ    メイン表示用領域
２０ｂ    第１透明領域
２０ｃ    第２透明領域
２０ｄ    第３透明領域
２００    透明表示部材
２００Ａ  第１透明表示部
２００Ｂ  第２透明表示部
２１０    第２タッチスクリーンディスプレイ
２１０Ａ  表示領域
２２０    第３タッチスクリーンディスプレイ
２２０Ａ  表示領域
２３０    第４タッチスクリーンディスプレイ
２３０Ａ  表示領域
３０２    背面領域
Ｙ      第２方向
Ｚ      第１方向
【図１】
2014011491.tif 000003
【図２】
2014011491.tif 000004
【図３】
2014011491.tif 000005
【図４】
2014011491.tif 000006
【図５】
2014011491.tif 000007
【図６】
2014011491.tif 000008
【図７】
2014011491.tif 000009
【図８】
2014011491.tif 000010
【図９】
2014011491.tif 000011
【図１０】
2014011491.tif 000012
【図１１】
2014011491.tif 000013
【図１２】
2014011491.tif 000014
【図１３】
2014011491.tif 000015
【図１４】
2014011491.tif 000016